(57)【要約】【課題】ステアリングメンバー本体の大型化や重量アップを抑制すると共に設置スペースや組付け工数の増大をも抑制するように成したとしても、ステアリングコラムシャフトにおける所望の先端剛性値を得ることができる。【解決手段】ステアリングメンバー本体１におけるステアリングサポートブラケット４を取付けるステアリング支持部位１ｃを、ステアリングメンバー本体１の内部に突出するように断面略Ｖ字状に落ち込ませることにより外方開口凹部８ａを有する蛇腹状突起８を形成し、且つ、外方開口凹部８ａに、ＣＯ２溶接或いはロウ付け溶接等によって補強溶接部８ｂを埋設形成して構成した。【選択図】図２
2010208493.tif 000002
【特許請求の範囲】
【請求項１】
車幅方向に延在する中空状のステアリングメンバー本体に、ステアリングコラムシャフトを支持するステアリングサポートブラケットを取付け、且つ、前記ステアリングメンバー本体の両端部に取付けた車体取付けブラケットを用いて車体の両側部に装着するように構成したステアリングメンバー構造であって、前記ステアリングメンバー本体における前記ステアリングサポートブラケットを取付けられているステアリング支持部位に、前記ステアリングメンバー本体の内部に突出するように落ち込む蛇腹状突起を形成したことを特徴とするステアリングメンバー構造。
【請求項２】
前記蛇腹状突起を、前記ステアリングサポートブラケットにおけるステアリングコラムシャフト取付け部に対向させて構成したことを特徴とする請求項１に記載のステアリングメンバー構造。
【請求項３】
前記蛇腹状突起における外方開口凹部内に、補強溶接部を埋設したことを特徴とする請求項１又は請求項２に記載のステアリングメンバー構造。
【請求項４】
前記ステアリングサポートブラケットを、前記補強溶接部により前記ステアリングメンバー本体に装着したことを特徴とする請求項３に記載のステアリングメンバー構造。
【発明の詳細な説明】
【技術分野】
【０００１】
本発明は、自動車等車両用のステアリングシャフトを支持するステアリングメンバー構造に関する。
【背景技術】
【０００２】
車両の室内前部には、インストルメントパネルが設けられて、その内側には、ステアリングシャフトを支持するためのステアリングメンバー本体が車幅方向に延在し、ステアリングメンバー本体はその両端にそれぞれ取付けられた車体取付けブラケットを用いて車体両側部に装着されている。
【０００３】
又、ステアリングメンバー本体の一部を太径に形成し、該太径部にステアリングコラムシャフトを取付けるためのステアリングサポートブラケットを取付け、更に、ステアリングメンバー本体には、他に車体に締結するための複数のインストステイブラケットやポストブラケットが取付けられている。
【０００４】
そして、ステアリングメンバー本体は、ステアリングコラムシャフトに及ぼされるステアリングシャフトからの荷重を受けるためのステアリングシャフトの先端剛性測定部において測定された所定の先端剛性値を有して、ステアリングサポートブラケットを介して受け止めることになる。
【０００５】
この結果、ステアリングシャフトに関連して、ステアリングコラムシャフトの重量増加に対処するため、ステアリングサポートブラケットの剛性をより一層高め、定重量当りの断面二次モーメントを大きくすることが要求された場合には、ステアリングサポートブラケットを構成する鋼材の板厚を大きくする対策や車体への取付け箇所を多くするためのブラケット個数を多くする等の対策を採ることになるが、このような対策では、ステアリングサポートブラケット自体の重量が増大してしまうと共に、ステアリングサポートブラケットを初めとするブラケット類の空間占有率が大きくなってしまい、他の周辺部材との干渉を避けるためのレイアウトに苦慮しなければならない。
【０００６】
このような課題を解決するために、従来技術として、全体的な軽量化を図ると共に、所望のステアリングコラムシャフトの先端剛性値と強度を保持し、且つ断面二次モーメントを高めたステアリングメンバー構造が提供されている。
【０００７】
かかる従来の技術として、例えば、自動車のインストルメントにステアリングコラムを支持させると共に車両衝突時の緩衝機能とインストルメントパネルの振動防止機能とを併せ持たせたステアリングメンバー本体を車幅方向に横設した構成において、ステアリングメンバー本体を中空成形品で構成し、所定箇所での断面形状と板厚とを変化させた異形部材で構成したものが知られている（特許文献１参照）。
【０００８】
又、他の従来の技術として、中空成形品であるステアリングメンバー本体の内部に、ブラケットバルクヘッドを挿入して、該ブラケットバルクヘッドの外周端部を、ステアリングメンバー本体におけるステアリングサポートブラケットが取付けられたステアリング支持部位に位置するように、ステアリング本体の内壁部に固着したものが知られている（特許文献２）。
【先行技術文献】
【特許文献】
【０００９】
【特許文献１】特許平１１−１２９９４０号公報
【特許文献２】特開２００８−２８４９６１号公報
【発明の概要】
【発明が解決しようとする課題】
【００１０】
しかしながら、前者従来技術によれば、ステアリングメンバー本体における所定箇所を異形部材により構成しているも、ステアリングメンバー本体の板厚を大きくすることによって、断面二次モーメントを上げようとしており、又、後者従来技術によれば、ステアリングメンバー本体におけるステアリング支持部位にブラケットバルクヘッドを設けることによって、ステアリングメンバー本体の断面変形を抑えてステアリングコラムシャフトの先端剛性値を増加させる断面二次モーメントを得るようにしているものである。
【００１１】
したがって、前者従来技術では、ステアリングメンバー本体の板厚を大きくするという対策を採り、又、後者従来技術では、ステアリングメンバー本体のステアリング支持部位に追加別部品であるブラケットバルクヘッドを取付けるという対策を採るため、いずれの従来技術にしても、ステアリングメンバー本体の大型化或いは重量アップとなってしまうと共に、設置スペースの増大や組付け工数の増加によるコストアップの要因となってしまうという未解決課題が未だ内在しているものであるといえる。
【００１２】
そこで、本発明は、ステアリングメンバー本体の大型化や重量アップを抑制すると共に設置スペースや組付け工数の増大をも抑制するように成したとしても、ステアリングコラムシャフトにおける先端剛性値を得ると共に強度を保持することができるステアリングメンバー構造を提供することを目的としている。
【課題を解決するための手段】
【００１３】
本発明に係るステアリングメンバー構造は、車幅方向に延在する中空状のステアリングメンバー本体に、ステアリングコラムシャフトを支持するステアリングサポートブラケットを取付け、且つ、前記ステアリングメンバー本体の両端部に取付けた車体取付けブラケットを用いて車体の両側部に装着するように構成し、前記ステアリングメンバー本体における前記ステアリングサポートブラケットが取付けられているステアリング支持部位に、前記ステアリングメンバー本体の内部に突出するように落ち込む蛇腹状突起を形成したことを特徴とするものである。
【００１４】
かかる構成を有する本発明によれば、ステアリングメンバー本体におけるステアリングサポートブラケットを取付けるステアリング支持部位に、ステアリングメンバー本体の内部に突出するように落ち込ませて形成した蛇腹状突起が存在していることにより、ステアリングメンバー本体自体の断面変形剛性を高めて、ステアリングサポートブラケットに取付けられたステアリングコラムシャフトの所望の先端剛性値を得ると共に強度を保持することができる。
【００１５】
しかも、本発明は、従来のようなステアリングメンバー本体の板厚を大きくすることや別部品を設けることを行うことなく、単に、ステアリングメンバー本体そのものを内部に落ち込ませて形成した蛇腹状突起によりステアリングサポートブラケットの所望の先端剛性値を得るようにしたことから、ステアリングメンバー本体自体の外観形状はほとんど変わらず、大型化や重量アップが抑制されると共に設置スペースや組付け工数の増大をも抑制し、他の周辺部品の設置スペースが制約されることはない。
【００１６】
又、本発明に係るステアリングメンバー構造は、前記蛇腹状突起を前記ステアリングサポートブラケットにおけるステアリングコラムシャフト取付け部に対向させて構成するようにしてもよい。
【００１７】
かかる構成により、ステアリングコラムシャフト取付け部に対向する蛇腹状突起の存在により、ステアリングサポートブラケットに取付けられたステアリングコラムシャフトの先端剛性値を効率よく増加させることができる。
【００１８】
また、本発明に係るステアリングメンバー構造は、前記蛇腹状突起における外方開口凹部内に、補強溶接部を埋設するように構成するようにしてもよい。
【００１９】
かかる構成により、蛇腹状突起自体の剛性を高めることによって、ステアリングメンバー本体の断面変形をさらに確実に抑えて、ステアリングコラムシャフトの先端剛性値をさらに増加させて、ステアリング支持剛性を向上させることができる。
【００２０】
また、本発明に係るステアリングメンバー構造は、前記ステアリングサポートブラケットを、前記補強溶接部により前記ステアリングメンバー本体に装着して構成してもよい。
【００２１】
かかる構成により、蛇腹突起における外方開口凹部内へ埋設した補強溶接部を利用して、ステアリングサポートブラケットをステアリングメンバー本体に取付けることができ、ステアリングサポートブラケットの取付け工数を軽減することができる。
【発明の効果】
【００２２】
上記のように構成する本発明は、ステアリングメンバー本体におけるステアリングサポートブラケットを取付けるステアリング支持部位に、ステアリングメンバー本体の内部に突出するように落ち込ませて形成した蛇腹状突起が存在していることにより、ステアリングメンバー本体自体の断面変形剛性を高めて、ステアリングサポートブラケットに取付けられたステアリングコラムシャフトの所望の先端剛性値を得ることができると共に、強度を保持することができる上に、ステアリングメンバー本体自体の外観形状はほとんど変わらないことから、大型化や重量アップが抑制されると共に設置スペースや組付け工数の増大をも抑制し、他の周辺部品の設置スペースを制約することはない。
【図面の簡単な説明】
【００２３】
【図１】本発明に係る実施例１を採用したステアリングメンバー構造の概略構成を描画した斜視図である。
【図２】図１におけるステアリングメンバー本体のステアリング支持部位付近を一部破断して描画した拡大斜視図である。
【図３】図２におけるＡ−Ａ断面図である。
【図４】本発明に係る実施例２を採用したステアリングメンバー構造の図３と同様の断面図である。
【図５】本発明に係る実施例３を採用したステアリングメンバー構造の図３と同様の断面図である。
【発明を実施するための形態】
【００２４】
本発明に係る各実施例は、ステアリングメンバー本体自体の断面変形剛性を高めて、ステアリングサポートブラケットに取付けられたステアリングコラムシャフトの所望の先端剛性値を増加させると共に強度を保持することができる上に、ステアリングメンバー本体の大型化や重量アップが抑制されると共に設置スペースや組付け工数の増大をも抑制し、しかも、他の周辺部品の設置スペースを制約しないことになるように構成している。
【実施例１】
【００２５】
先ず、図１において、ステアリングメンバー本体１は、車幅方向に延在すると共に中空状に形成され、略中間部を境に車幅方向一側が太径部１ａに形成され、車幅方向他側が細径部１ｂに形成された異形部材として構成されている。
【００２６】
そして、ステアリングメンバー本体１は、その両端部にそれぞれ異なる形状を有する車体取付けブラケット２、３が固着されており、取付けブラケット２、３を介して不図示の車体両側部にそれぞれ装着されている。
【００２７】
ステアリングメンバー本体１の太径部１ａには、不図示のステアリングコラムシャフトを取付けるためのステアリングサポートブラケット４が溶接により取付けられている。
【００２８】
ステアリングサポートブラケット４は、車幅方向に幅広となって、ステアリングメンバー本体１の太径部１ａにおいてステアリング支持部位１ｃを形成している。
【００２９】
さらに、ステアリングメンバー本体１には、他に車体に締結するポストブラケット５やインストステイブラケット６、７が取付けられている。
【００３０】
ステアリングメンバー本体１の太径部１ａにおけるステアリングサポートブラケット４が取り付けられているステアリング支持部位１ｃには、外周部に表出した二条の蛇腹状突起８が形成されている。
【００３１】
各蛇腹状突起８は、図２及び図３に示すように、ステアリング支持部位１ｃをステアリングメンバー本体１の内部に突出するように断面略Ｖ字状に落ち込ませることによって形成されており、ステアリングサポートブラケット４における一対のステアリングコラムシャフト取付け部４ａにステアリングメンバー本体１の外周方向に対向するように配置されている。ステアリングコラムシャフト取付け部４ａには不図示のステアリングコラムシャフトが装着されている。
【００３２】
そして、各蛇腹状突起８は、ステアリングメンバー本体１の内部に突出するように断面略Ｖ字状に落ち込ませることによって形成されているために、外方開口凹部８ａを有しており、外方開口凹部８ａ内には、ＣＯ２溶接或いはロウ付け溶接等により形成した補強溶接部８ｂが埋設形成されている。
【００３３】
以上のように構成する本発明に係る実施例１は、ステアリングメンバー本体１におけるステアリングサポートブラケット４を取付けるステアリング支持部位１ｃに、ステアリングメンバー本体１の内部に突出するように落ち込ませることにより形成した蛇腹状突起８の存在により、ステアリングメンバー本体１自体の断面変形剛性を高めて、ステアリングサポートブラケット４に取付けられたステアリングコラムシャフトの所望の先端剛性値を得ると共に強度を保持することができる。
【００３４】
しかも、実施例１は、従来のようなステアリングメンバー本体の板厚を大きくすることや別部品を設けることをせずに、単に、ステアリングメンバー本体１そのものを内部に落ち込ませて形成した蛇腹状突起８により所望の先端剛性を得ると共に強度を保持し得るようにしたことから、ステアリングメンバー本体１自体の外観形状はほとんど変わらず、大型化や重量アップが抑制されると共に設置スペースや組付け工数の増大をも抑制し、しかも、他の周辺部品の設置スペースを制約することはない。
【００３５】
さらに、蛇腹状突起８は、ステアリングサポートブラケット４におけるステアリングコラムシャフト取付け部４ａにステアリングメンバー本体１の外周方向に対向するように配設されている点からも、ステアリングサポートブラケット４に取付けられたステアリングコラムシャフトにおける所望の先端剛性値を得ることができることになる。
【００３６】
また、蛇腹状突起８における外方開口凹部８ａは、補強溶接部８ｂが埋設されていることから、蛇腹状突起８に外方開口凹部８ａを閉塞変形させようとするような力が加わったとしても、かかる閉塞変形力を補強溶接部８ｂの剛性により受け止めることができ、結果的に、蛇腹状突起８自体の剛性を高めることになって、ステアリングメンバー本体１の断面変形をさらに確実に抑えて、所望のステアリングコラムシャフトの先端剛性値を得て、ステアリングシャフト支持剛性を向上させることができる。
【実施例２】
【００３７】
次に、図４を用いて、本発明に係る実施例２について説明する。
【００３８】
図４に示す実施例２においては、前記実施例１のように、蛇腹状突起８が、ステアリングサポートブラケット４の一対のステアリングコラムシャフト取付け部４ａに対向して設置されていることに加えて、両ステアリングコラムシャフト取付け部４ａの間において、離間した状態で、ステアリングサポートブラケット４にさらに他の蛇腹状突起８を形成した点、異なる構成を取っているものである。
【００３９】
かかる構成は、ステアリングコラムシャフトにおけるさらに高い先端剛性値を得るべく成したものである。
【００４０】
したがって、このように要求されるステアリングコラムシャフトの先端剛性値が高い場合には、蛇腹状突起８の設置数を増加させればよく、かかる場合においても、ステアリングメンバー構造の大型化や重量アップは、抑制されると共に設置スペースや組付け工数の増大をおきることがない。
【００４１】
また逆に、ステアリングコラムシャフトの先端剛性値として、それほど大きい値が要求されない場合には、蛇腹状突起８は一条のみ形成する等、蛇腹状突起８の設置数を選択すれば足りることになる。
【実施例３】
【００４２】
次に、図５を用いて、本発明に係る実施例３を説明する。
【００４３】
図５に示す実施例３においては、上記した実施例１の変形例ともいうべきものであり、蛇腹状突起８の外方開口凹部８ａ内に埋設形成した補強溶接部８ｂによって、ステアリングサポートブラケット４を取付けるように構成したものであり、ステアリングサポートブラケット４をステアリングメンバー本体１に取付けるために、別個に行う溶接作業を無くす或いは少なくして、ステアリングサポートブラケット４の取付け工数を軽減することができるようにしたものである。
【００４４】
なお、上記いずれの実施例においては、蛇腹状突起８は、ステアリングメンバー本体１の全周に渡って形成するようにしているが、これに限定されるものではなく、要求されるステアリングコラムシャフトの先端剛性値の多寡によっては、ステアリングメンバー本体１の周囲に間欠的に分断形成するようにしてもよい。
【００４５】
また、上記いずれの実施例においては、蛇腹状突起８の全域に渡って補強溶接部８ｂを埋設するようにしたが、要求されるステアリングコラムシャフトの先端剛性値の多寡によっては、補強溶接部８ｂの埋設は、蛇腹状突起８の外方開口凹部８ａに部分的に行うようにしてもよい。
【産業上の利用可能性】
【００４６】
以上説明したように、本発明は、ステアリングメンバー本体自体の断面変形剛性を高めて、ステアリングサポートブラケットに取付けられたステアリングコラムシャフトにおける所望の先端剛性値を得ることができる上に、ステアリングメンバー本体の大型化や重量アップが抑制されると共に設置スペースや組付け工数の増大をも抑制し、しかも、他の周辺部品の設置スペースを制約しないことになることから、自動車等の車両用のステアリングシャフトを支持するステアリングメンバー構造等に好適である。
【符号の説明】
【００４７】
１    ステアリングメンバー本体
１ｃ  ステアリング支持部位
４    ステアリングサポートブラケット
４ａ  ステアリングコラムシャフト取付け部
８    蛇腹状突起
８ａ  外方開口凹部
８ｂ  補強溶接部
【図１】
2010208493.tif 000003
【図２】
2010208493.tif 000004
【図３】
2010208493.tif 000005
【図４】
2010208493.tif 000006
【図５】
2010208493.tif 000007